(57)【特許請求の範囲】
【請求項１】
回転可能に軸支されるてん真と、
前記てん真を径方向の外側から囲むと共に前記てん真の回転軸と同軸に配置されたリム部、及び該リム部と前記てん真とを径方向に連結する連結アームを有するてん輪と、を備えるてんぷであって、
前記リム部は、周方向に分断され、該周方向に沿って円弧状に延在し、且つ前記回転軸回りに均等配置された複数の分割リム部で構成され、
前記分割リム部は、周方向の一端部が前記連結アームに連結された固定端とされ、周方向の他端部が自由端とされ、
前記分割リム部の前記自由端を径方向に移動させるように該分割リム部を弾性変形させ、前記自由端の位置を調整する位置調整機構を備え、
前記位置調整機構は、
前記分割リム部の数に応じて設けられ、その基端側が前記てん真に対して固定され、且つ、その先端側が各分割リム部に向かって径方向の外側に向けて延在した複数の支持アームと、
該複数の支持アームの先端側にそれぞれ設けられ、前記分割リム部に対して外力を付与することで該分割リム部を径方向に弾性変形させる押圧部と、を備えていることを特徴とするてんぷ。
【請求項２】
請求項１に記載のてんぷにおいて、
前記複数の支持アームは、前記てん真に対して相対的に前記回転軸回りに回転可能に固定され、且つその回転が同期していることを特徴とするてんぷ。
【請求項３】
回転可能に軸支されるてん真と、
前記てん真を径方向の外側から囲むと共に前記てん真の回転軸と同軸に配置されたリム部、及び該リム部と前記てん真とを径方向に連結する連結アームを有するてん輪と、を備えるてんぷであって、
前記リム部は、周方向に分断され、該周方向に沿って円弧状に延在し、且つ前記回転軸回りに均等配置された複数の分割リム部で構成され、
前記分割リム部は、周方向の一端部が前記連結アームに連結された固定端とされ、周方向の他端部が自由端とされ、
前記分割リム部の前記自由端を径方向に移動させるように該分割リム部を弾性変形させ、前記自由端の位置を調整する位置調整機構を備え、
前記位置調整機構は、
前記分割リム部の数に応じて設けられ、その基端側が前記てん真に対して相対的に前記回転軸回りに回転可能に固定され、且つその先端側が各分割リム部に向かって径方向の外側に向けて延在した複数の回転支持アームと、
該複数の回転支持アームの先端側にそれぞれ設けられ、前記分割リム部に接する接触体と、を備え、
前記回転支持アームは、同期した状態で回転可能とされ、
前記接触体は、前記回転支持アームの回転に伴って前記分割リム部に対して外力を付与して該分割リム部を径方向に弾性変形させると共に、前記自由端に接近するにしたがって分割リム部を大きく又は小さく弾性変形させ、
前記接触体は、前記分割リム部の外周面及び内周面のうちの少なくとも一方に接すると共に、前記回転支持アームの回転に伴って前記分割リム部の曲率半径とは異なる半径で回転移動することを特徴とするてんぷ。
【請求項４】
請求項３に記載のてんぷにおいて、
前記接触体は、接触ピンとされていることを特徴とするてんぷ。
【請求項５】
請求項４に記載のてんぷにおいて、
前記接触体は、回転可能に前記回転支持アームに支持されると共に、その回転に伴って前記分割リム部を径方向に押圧して弾性変形させる偏心ピンとされていることを特徴とするてんぷ。
【請求項６】
請求項１から５のいずれか１項に記載のてんぷにおいて、
前記分割リム部の自由端には、錘部が設けられていることを特徴とするてんぷ。
【請求項７】
請求項１から６のいずれか１項に記載のてんぷを備えていることを特徴とする機械式時計。
【発明の詳細な説明】
【技術分野】
【０００１】
本発明は、てんぷ及びこれを具備する機械式時計に関するものである。
【背景技術】
【０００２】
機械式時計の調速機としては、一般的にてんぷ及びひげぜんまいで構成されている。このうちてんぷは、てん真及び該てん真に固定されたてん輪を備え、てん真の回転軸回りに周期的に正逆回転して振動する部材とされている。この際、てんぷの振動周期は予め決められた規定値内に設定されていることが重要とされている。仮に、振動周期が規定値からずれてしまうと、機械式時計の歩度（時計の遅れ、進みの度合い）が変化してしまうためである。ところが、上記振動周期は各種の原因等によって変化し易く、機械式時計を組立てるにあたって、その調整作業が必要とされている。
ここで、上記振動周期Ｔは、次式（１）で表される。
【０００３】
【数１】
0005831982.tif 000002
【０００４】
上記式（１）において、Ｉは「てんぷの慣性モーメント」、Ｋは「ひげぜんまいのばね定数」を示す。従って、てんぷの慣性モーメント、又はひげぜんまいのばね定数を調整することで、てんぷの振動周期を調整することが可能とされている。このうち、ひげぜんまいのばね定数を調整する方法としては、例えば緩急針等を利用してひげぜんまいの長さを変化させることで調整する方法が知られている。
【０００５】
一方、てんぷの慣性モーメントを調整する方法としては以下の方法が知られている。
はじめに、慣性モーメントＩは、次式（２）で表される。
Ｉ＝ｍ・ｒ２  ・・・・式（２）
上記式（２）において、ｍは「てんぷの質量」、ｒは「回転軸からの距離」を示す。従って、てんぷの質量又は回転軸からの距離を調整することで、慣性モーメントを調整することが可能とされている。
【０００６】
その具体的な方法としては、例えば図１５に示すように、てん輪を構成する環状のリム部１００に対して、錘となるチラねじ１１０を周方向に間隔を開けて複数螺着させ、各チラねじ１１０の捩じ込み量を調整する（径方向に出し入れさせる）方法や、図１６に示すように、錘となるＣ型のリング部材１２０をリム部１００の周方向に間隔を開けて複数取り付け、各リング部材１２０を回転させることで、その開口向きを変化させる方法が知られている（非特許文献１参照）。
このようにすることで、チラねじ１１０の径方向の位置が変化、又はリング部材１２０の重心位置が変化するので、回転軸Ｏからの距離を変化させることができ、それにより慣性モーメントを調整することが可能になる。
【先行技術文献】
【非特許文献】
【０００７】
【非特許文献１】スイス時計大学偏、「時計学理論（The Theory of Horology）」、英語版第２版、２００３年４月、ｐ１３６−１３７
【発明の概要】
【発明が解決しようとする課題】
【０００８】
しかしながら、上記した従来の慣性モーメントの調整方法では、チラねじ又はリング部材の調整作業に手間がかかり、該調整に時間がかかり易い。しかも、その調整範囲を大きくしようとした場合には、リム部に対してチラねじ又はリング部材を数多く設ける必要があるので、作業性がさらに低下し易かった。更には、個々のチラねじ又はリング部材の位置を調整すると、てんぷ全体の重心位置も変化してしまうので、慣性モーメントの調整と同時にてんぷ全体の重心位置についても考慮する必要がある。従って、作業が煩雑となり調整し難かった。
【０００９】
本発明は、このような事情に考慮してなされたもので、その目的は、全体の重心位置を変化させることなく、広い調整範囲内で容易且つ微細に慣性モーメントの調整作業を行うことができるてんぷ、及びこれを具備する機械式時計を提供することである。
【課題を解決するための手段】
【００１０】
本発明は、前記課題を解決するために以下の手段を提供する。
（１）本発明に係るてんぷは、回転可能に軸支されるてん真と、前記てん真を径方向の外側から囲むと共に前記てん真の回転軸と同軸に配置されたリム部、及び該リム部と前記てん真とを径方向に連結する連結アームを有するてん輪と、を備えるてんぷであって、前記リム部は、周方向に分断され、該周方向に沿って円弧状に延在し、且つ前記回転軸回りに均等配置された複数の分割リム部で構成され、前記分割リム部は、周方向の一端部が前記連結アームに連結された固定端とされ、周方向の他端部が自由端とされ、前記分割リム部の前記自由端を径方向に移動させるように該分割リム部を弾性変形させ、前記自由端の位置を調整する位置調整機構を備え、前記位置調整機構は、前記分割リム部の数に応じて設けられ、その基端側が前記てん真に対して固定され、且つ、その先端側が各分割リム部に向かって径方向の外側に向けて延在した複数の支持アームと、該複数の支持アームの先端側にそれぞれ設けられ、前記分割リム部に対して外力を付与することで該分割リム部を径方向に弾性変形させる押圧部と、を備えていることを特徴とする。
【００１１】
本発明に係るてんぷによれば、位置調整機構によって各分割リム部をそれぞれ弾性変形させて、分割リム部の自由端を径方向の外側又は内側に向かって移動させることができ、自由端の位置を径方向に適宜変化させることができる。すると各分割リム部は、固定端から自由端に向かうにしたがって回転軸に対して接近又は離間するように曲がるので、リム部全体の平均径が縮径又は拡径する。これにより、回転軸からの距離を適宜変化させることができ、てんぷ自体の慣性モーメントを変化させることができる。その結果、てんぷの振動周期を変化させて、歩度の調整を行うことが可能となる。
【００１２】
特に、従来のチラねじやＣ型のリング部材を用いる方法とは異なり、リム部を構成する分割リム部を単に弾性変形させて、その自由端の位置を径方向に変化させるだけで慣性モーメントを微細に調整できるので、その調整作業が簡便であり使い易い。しかも、自由端の移動量の増減だけで慣性モーメントをリニアに変化させることができるので、広い調整範囲で慣性モーメントの調整作業を行える。
更に、分割リム部は回転軸回りに均等配置されているので、各分割リム部の自由端の位置を径方向に変化させたとしても、てんぷ全体の重心位置が変化し難い。従って、この点においても慣性モーメントの調整作業を簡便に行い易い。
【００１４】
さらに、各分割リム部に対応した支持アームの先端側に設けられた押圧部を利用して分割リム部に外力を付与でき、該分割リム部を径方向の内側又は外側に向けて弾性変形させることができる。これにより、リム部全体の平均径を縮径又は拡径させて、狙い通りの径に容易且つ正確に調整し易い。また、押圧部が支持アームに設けられて安定的に支持されているので、各分割リム部をがたつき少なく安定して弾性変形させることができ、慣性モーメントを調整し易い。
【００１５】
（２）上記本発明に係るてんぷにおいて、前記複数の支持アームは、前記てん真に対して相対的に前記回転軸回りに回転可能に固定され、且つその回転が同期していることが好ましい。
【００１６】
この場合には、支持アームを回転させることができるので、固定端と自由端との間の任意の位置に押圧部を位置させ、該位置で外力を付与することができる。従って、外力による押圧部の変位量が同じであっても、固定端側寄りであれば大きく分割リム部を弾性変形させ、自由端側寄りであれば分割リム部を小さく弾性変形させることができる。よって、支持アームの回転と付与する外力の大きさとの組み合わせによって、自由端の位置をより微細に径方向に変化させることができ、慣性モーメントの調整をより高精度に行える。
しかも、複数の支持アームは同期して回転するので、押圧部によって外力を付与するポイントが分割リム部によってばらつくことがない。従って、てんぷ全体の重心位置が変化してしまうことを防止し易い。
【００１７】
（３）本発明に係るてんぷは、回転可能に軸支されるてん真と、前記てん真を径方向の外側から囲むと共に前記てん真の回転軸と同軸に配置されたリム部、及び該リム部と前記てん真とを径方向に連結する連結アームを有するてん輪と、を備えるてんぷであって、前記リム部は、周方向に分断され、該周方向に沿って円弧状に延在し、且つ前記回転軸回りに均等配置された複数の分割リム部で構成され、前記分割リム部は、周方向の一端部が前記連結アームに連結された固定端とされ、周方向の他端部が自由端とされ、前記分割リム部の前記自由端を径方向に移動させるように該分割リム部を弾性変形させ、前記自由端の位置を調整する位置調整機構を備え、前記位置調整機構は、前記分割リム部の数に応じて設けられ、その基端側が前記てん真に対して相対的に前記回転軸回りに回転可能に固定され、且つその先端側が各分割リム部に向かって径方向の外側に向けて延在した複数の回転支持アームと、該複数の回転支持アームの先端側にそれぞれ設けられ、前記分割リム部に接する接触体と、を備え、前記回転支持アームは、同期した状態で回転可能とされ、前記接触体は、前記回転支持アームの回転に伴って前記分割リム部に対して外力を付与して該分割リム部を径方向に弾性変形させると共に、前記自由端に接近するにしたがって分割リム部を大きく又は小さく弾性変形させ、前記接触体は、前記分割リム部の外周面及び内周面のうちの少なくとも一方に接すると共に、前記回転支持アームの回転に伴って前記分割リム部の曲率半径とは異なる半径で回転移動することを特徴とする。
【００１８】
本発明に係るてんぷによれば、各分割リム部に対応した回転支持アームを回転させると、その回転支持アームの先端部に設けられて分割リム部に接している接触体が連られて回転移動する。これにより、接触体を利用して分割リム部に外力を付与でき、該分割リム部を径方向の内側又は外側に向けて弾性変形させることができる。しかも、回転支持アームの回転によって、接触体を分割リム部の自由端側に接近させるにしたがって付与する外力を増減できるので、回転支持アームの回転具合で自由端の径方向の位置を微細に変化させることができる。従って、リム部全体の平均径を縮径又は拡径させて、狙い通りの径に容易且つ正確に調整し易く、結果的に慣性モーメントの調整をより高精度に行える。
【００１９】
しかも、複数の回転支持アームは同期して回転するので、押圧部によって外力を付与するポイントが分割リム部によってばらつくことがない。従って、てんぷ全体の重心位置が変化してしまうことを防止し易い。また、押圧部が回転支持アームに設けられて安定的に支持されているので、各分割リム部をがたつき少なく弾性変形させることができ、慣性モーメントを調整し易い。
さらに、回転支持アームを回転させることで、接触体を利用して分割リム部を径方向の内側又は径方向の外側に押圧して、確実に弾性変形させることができる。また、回転支持アームの回転具合で接触体が分割リム部を押圧する押圧力を容易且つ確実に変化させることができるので、分割リム部の自由端の径方向の位置を正確にコントロールし易い。
【００２０】
（４）上記本発明に係るてんぷにおいて、前記接触体は、接触ピンとされていることが好ましい。
【００２１】
この場合には、回転支持アームを回転させることで、接触ピンとされた接触体を利用して分割リム部を径方向の内側又は径方向の外側に押圧して、確実に弾性変形させることができる。また、回転支持アームの回転具合で接触体が分割リム部を押圧する押圧力を容易且つ確実に変化させることができるので、分割リム部の自由端の径方向の位置を正確にコントロールし易い。
【００２２】
（５）上記本発明に係るてんぷにおいて、前記接触体は、回転可能に前記回転支持アームに支持されると共に、その回転に伴って前記分割リム部を径方向に押圧して弾性変形させる偏心ピンとされていることが好ましい。
【００２３】
この場合には、偏心ピンとされた接触体を回転させることで、分割リム部を径方向に弾性変形させることができるので、分割リム部の弾性変形量を微調整でき、慣性モーメントの調整がさらに容易となる。
【００２４】
（６）上記本発明に係るてんぷにおいて、前記分割リム部の自由端には、錘部が設けられていることが好ましい。
【００２５】
この場合には、錘部によって分割リム部の自由端の重量を増大させることができるので、該自由端の位置を径方向に変化させることで、より効果的に慣性モーメントの調整を行える。
【００２６】
（７）本発明に係る機械式時計は、上記本発明に係るてんぷを備えていることを特徴とする。
【００２７】
本発明に係る機械式時計によれば、上述したてんぷを具備しているので、歩度の調整を容易且つ正確に行うことができ、誤差の少ない高品質な時計とすることができる。
【発明の効果】
【００２８】
本発明によれば、全体の重心位置を変化させることなく、広い調整範囲内で容易且つ微細に慣性モーメントの調整作業を行うことができ、てんぷの振動周期を狙い通りに変化させて、歩度の調整を容易且つ正確に行うことが可能となる。
【図面の簡単な説明】
【００２９】
【図１】本発明に係る第１実施形態を示す図であって、ひげぜんまいが組み合わされたてんぷの上面図である。
【図２】図１に示すＡ−Ａ断面図である。
【図３】図１に示すてんぷ単体の上面図である。
【図４】図３に示すＢ−Ｂ断面図である。
【図５】図３に示すてんぷの変形例を示す部分拡大図である。
【図６】図５に示すＣ−Ｃ断面図である。
【図７】図３に示すてんぷの別の変形例を示す部分拡大図である。
【図８】図７に示すＤ−Ｄ断面図である。
【図９】図３に示すてんぷのさらに別の変形例を示す平面図である。
【図１０】図９に示すＥ−Ｅ断面図である。
【図１１】本発明に係る第２実施形態を示す図であって、てんぷの上面図である。
【図１２】図１１に示すてんぷの変形例を示す図である。
【図１３】図１１に示すてんぷの別の変形例を示す図である。
【図１４】図１３に示すてんぷにおける接触ピンが偏心ピンとされた場合の図である。
【図１５】従来のてんぷの一例を示す平面図である。
【図１６】従来のてんぷの別の一例を示す平面図である。
【発明を実施するための形態】
【００３０】
＜第１実施形態＞
以下、本発明に係る第１実施形態について図面を参照して説明する。
（てんぷの構成）
図１及び図２に示すように、本実施形態の機械式時計Ｔは、てんぷ１０及びひげぜんまい２で構成される調速機１を具備している。
調速機１を構成するてんぷ１０は、回転軸Ｏ回りに回転可能に軸支されるてん真１１と、該てん真１１に固定されたてん輪１２と、を備え、図示しない脱進機から伝えられた動力によりひげぜんまい２に蓄えられた位置エネルギーによって回転軸Ｏ回りに一定の振動周期で正逆回転させられる部材とされている。
なお、本実施形態では、上記回転軸Ｏに直交する方向を径方向、回転軸Ｏ回りに周回する方向を周方向という。
【００３１】
上記てん真１１は、回転軸Ｏに沿って上下に延在した回転軸体であり、上端部及び下端部が図示しない地板やてんぷ受等の部材によって軸支されている。てん真１１における上下方向の略中間部分は、径が最も大きい大径部１１ａとされている。そして、この大径部１１ａを介して上記てん輪１２がてん真１１に固定されている。
また、てん真１１には、大径部１１ａの下方に位置する部分に筒状の振り座１５が回転軸Ｏと同軸に外装されている。この振り座１５は、径方向の外側に向けて突設された環状の鍔部１５ａを有しており、該鍔部１５ａに図示しないアンクルを揺動させるための振り石１６が固定されている。
【００３２】
上記ひげぜんまい２は、例えば一平面内で渦巻状に巻かれた平ひげであって、図示しないひげ玉を介してその内端部がてん真１１における大径部１１ａの上方に位置する部分に固定されている。そして、このひげぜんまい２は、図示しない４番歯車から図示しないガンギ車に伝えられた動力を蓄え、てん輪１２を振動させる役割を果している。
【００３３】
上記てん輪１２は、図３に示すように、てん真１１を径方向の外側から囲む略環状のリム部２０と、該リム部２０とてん真１１とを径方向に連結する第１アーム部（連結アーム）２１と、を備えている。
上記リム部２０は、周方向に２つに分断されており、第１リム部（分割リム部）２２及び第２リム部（分割リム部）２３で構成されている。これら第１リム部２２及び第２リム部２３は、それぞれ周方向に沿って円弧状（半円状）に延びた帯状片であり、回転軸Ｏ回りに均等配置されている。
【００３４】
また、第１リム部２２及び第２リム部２３は、周方向の一端部がともに第１アーム部２１によって片持ち状に支持されている。この第１アーム部２１は、第１リム部２２及び第２リム部２３に応じて一対設けられ、回転軸Ｏを挟んで径方向の反対側に配置されている。これら第１アーム部２１は、その基端側がてん真１１の大径部１１ａに固定された環状の固定リング１７に連結され、その先端側が第１リム部２２及び第２リム部２３の周方向の一端部に連結されている。
なお、本実施形態では、一対の第１アーム部２１及び固定リング１７は、一体的に形成されている。
【００３５】
これにより、第１リム部２２及び第２リム部２３は、上記したように第１アーム部２１によって片持ち状に支持されている。なお、第１アームによって支持された、第１リム部２２及び第２リム部２３における周方向の一端部は固定端２２ａ、２３ａとして機能する。また、第１リム部２２及び第２リム部２３における周方向の他端部は、自由端２２ｂ、２３ｂとして機能する。
なお、第１リム部２２の自由端２２ｂと第２リム部２３の自由端２３ｂとは、回転軸Ｏを挟んで径方向の反対側に配置されるように設定されている。そして、第１リム部２２及び第２リム部２３の自由端２２ｂ、２３ｂには、それぞれ同質量の錘部２４が径方向の外側に向けて設けられている。
【００３６】
ところで、本実施形態のてんぷ１０は、第１リム部２２及び第２リム部２３の自由端２２ｂ、２３ｂを径方向に移動させるように、第１リム部２２及び第２リム部２３をそれぞれ弾性変形させ、両リム部２２、２３の自由端２２ｂ、２３ｂの径方向の位置を調整する位置調整機構３０を備えている。
【００３７】
詳細に説明すると、上記位置調整機構３０は、図３及び図４に示すように、第１リム部２２及び第２リム部２３に応じて一対設けられた第２アーム部（支持アーム）３１と、これら第２アーム部３１の先端側にそれぞれ設けられ、第１リム部２２及び第２リム部２３に対して任意の大きさの外力を付与して第１リム部２２及び第２リム部２３をそれぞれ径方向に弾性変形させる押圧部３２と、を備えている。
【００３８】
上記第２アーム部３１は、回転軸Ｏを挟んで径方向の反対側に配置されていると共に、第１アーム部２１に対して周方向に９０度の間隔を開けて配置されている。つまり、平面視十字状となるように、第１アーム部２１に対して第２アーム部３１が配置されている。これら第２アーム部３１は、その基端側が上記した固定リング１７に連結され、その先端側が第１リム部２２及び第２リム部２３の周方向略中間部に向かって径方向の外側に延在している。
なお、一対の第２アーム部３１についても、固定リング１７に対して一体的に形成されている。つまり、一対の第１アーム部２１、一対の第２アーム部３１及び固定リング１７は、一体となった１つの部材とされている。
【００３９】
そして、第２アーム部３１の先端部には、第１リム部２２及び第２リム部２３に対して対向する対向壁部３１ａが上方に向けて立設されている。この対向壁部３１ａは、第１リム部２２及び第２リム部２３の径方向内側に一定の隙間を開けて向かい合うように配置されており、第１リム部２２及び第２リム部２３の曲率に倣った平面視円弧状に形成されている。
そして、第１リム部２２及び第２リム部２３には、対向壁部３１ａに対して向かい合う部分にこれら両リム部２２、２３を径方向に貫く貫通孔２２ｃ、２３ｃが形成されている。そして、この貫通孔２２ｃ、２３ｃを通じて第１リム部２２及び第２リム部２３の径方向の外側から調整ねじ３３が挿通され、対向壁部３１ａに形成されたねじ孔３１ｂに螺着されている。
【００４０】
従って、調整ねじ３３を捩じ込むことで、第１リム部２２及び第２リム部２３を径方向の内側に向けて押圧して弾性変形させることができ、両リム部２２、２３の自由端２２ｂ、２３ｂの位置を径方向の内側に向けて変化させることが可能とされている。
よって、調整ねじ３３、貫通孔２２ｃ、２３ｃ及び対向壁部３１ａは、上記した押圧部３２として機能する。
【００４１】
（慣性モーメントの調整方法）
次に、上記したてんぷ１０を利用した慣性モーメントの調整方法について説明する。
この場合には、図３に示すように、一対の第２アーム部３１の先端に設けられた調整ねじ３３をそれぞれ矢印方向に同量ずつ捩じ込んで、第１リム部２２及び第２リム部２３に対して径方向の外側から外力を付与して押圧し、両リム部２２、２３を径方向の内側に弾性変形させる。この弾性変形により、第１リム部２２及び第２リム部２３の自由端２２ｂ、２３ｂを径方向の内側に向かって移動（矢印方向）させることができ、その位置を変化させることができる。
【００４２】
すると、第１リム部２２及び第２リム部２３は、固定端２２ａ、２３ａ側から自由端２２ｂ、２３ｂ側に向かうにしたがって回転軸Ｏに対して接近するように湾曲するので、リム部２０全体の平均径が縮径する。これにより、回転軸Ｏからの距離が小さくなり、てんぷ１０自体の慣性モーメントを小さくすることができる。その結果、てんぷ１０の振動周期を変化させることができ、歩度の調整を行うことが可能となる。
【００４３】
なお、本実施形態の場合には、慣性モーメントが小さくなるので歩度は進みの方向に変化する。よって、初期の慣性モーメントとしては、予め大きめ（歩度が遅れの方向）に設定しておくことが好ましい。また、調整ねじ３３を緩めた場合には、第１リム部２２及び第２リム部２３が弾性復元力によって、径方向の外側に弾性変形する。よって、てんぷ１０の平均径を拡径させて慣性モーメントを大きくすることができ、歩度が遅れ方向に変化する。
【００４４】
上記したように、上記てんぷ１０によれば、従来のチラねじやＣ型のリング部材を用いる方法とは異なり、リム部２０を構成する第１リム部２２及び第２リム部２３を単に弾性変形させて、その自由端２２ｂ、２３ｂの位置を径方向に変化させるだけで慣性モーメントを微細に調整できるので、該調整作業が簡便であり使い易い。しかも、自由端２２ｂ、２３ｂの移動量の増減だけで慣性モーメントをリニアに変化させることができるので、広い調整範囲で慣性モーメントの調整作業を行える。
【００４５】
更に、第１リム部２２及び第２リム部２３は回転軸Ｏ回りに均等配置され、それぞれの自由端２２ｂ、２３ｂが回転軸Ｏを挟んで径方向の反対側に位置している。そのため、両リム部２２、２３の自由端２２ｂ、２３ｂの位置を径方向に変化させたとしても、てんぷ１０全体の重心位置が変化し難い。従って、この点においても慣性モーメントの調整作業を簡便に行い易い。
また、調整ねじ３３を利用しているので、捩じ込み量の加減で第１リム部２２及び第２リム部２３の弾性変形量を微調整し易い。そのため、リム部２０全体の平均径を狙い通りの径に容易且つ正確に調整し易い。
【００４６】
更に、調整ねじ３３は、対向壁部３１ａを介して第２アーム部３１に安定的に支持されているので、第１リム部２２及び第２リム部２３をがたつき少なく安定して弾性変形させることができ、やはりこの点においても慣性モーメントを調整し易い。
加えて、第１リム部２２及び第２リム部２３の自由端２２ｂ、２３ｂは、錘部２４によって重量が増大している。従って、自由端２２ｂ、２３ｂの位置を径方向に変化させることで、より効果的に慣性モーメントの調整を行うことが可能である。
【００４７】
また、本実施形態の機械式時計Ｔによれば、慣性モーメントの調整を容易に行うことができる上記したてんぷ１０を具備しているので、該てんぷ１０の振動周期を狙い通りに変化させて歩度の調整を容易且つ正確に行うことができ、誤差の少ない高品質な時計とすることができる。
【００４８】
なお、上記第１実施形態では、第１リム部２２及び第２リム部２３の周方向略中間部を押圧するように構成したが、この場合に限定されるものではなく、固定端２２ａ、２３ａに近い位置、又は自由端２２ｂ、２３ｂに近い位置を押圧するように、第２アーム部３１をてん真１１に固定しても構わない。
【００４９】
また、上記第１実施形態では、第１リム部２２及び第２リム部２３を径方向の内側に向けて押圧して弾性変形させたが、径方向の外側に押圧して弾性変形させても構わない。
この場合には、例えば第１リム部２２側を例に挙げると、図５及び図６に示すように、対向壁部３１ａのねじ孔３１ｂに調整ねじ３３を径方向の内側から螺着させ、そのねじ端部を利用して第１リム部２２を径方向の外側に押圧させれば良い。なお、この場合には、第１リム部２２に貫通孔２２ｃを形成する必要がない。
【００５０】
このように構成した場合には、調整ねじ３３を締め込むことで、第１リム部２２の自由端２２ｂの位置を径方向の外側に変化させることができ、リム部２０全体の平均径を拡径させることができる。従って、慣性モーメントを大きくすることができ、歩度を遅れの方向に調整することができる。
なお、この場合、初期の慣性モーメントとしては、予め小さめ（歩度が進みの方向）に設定しておくことが好ましい。
【００５１】
更に、図７及び図８に示すように、第２アーム部３１を径方向の外側に向けてさらに延ばし、第１リム部２２及び第２リム部２３の径方向の外側に位置するように第２の対向壁部３１ｃを設け、第２の調整ねじ３５をこの対向壁部３１ｃの径方向の外側から螺着させ、そのねじ端部を利用して第１リム部２２を径方向の内側に押圧して弾性変形させるように構成しても構わない。
このようにすることで、２つの調整ねじ３３、３５を利用して、第１リム部２２を径方向の内側及び外側のいずれにも弾性変形させることができるので、慣性モーメントの調整がさらに容易になる。しかも、第１リム部２２は、２つの調整ねじ３３、３５で挟まれるので、がたつくことなく姿勢が安定する。従って、より安定しててんぷ１０を振動させることができる。
【００５２】
また、上記第１実施形態において、第２アーム部３１をてん真１１に対して相対的に回転軸Ｏ回りに回転可能に構成しても構わない。
例えば、図９及び図１０に示すように、てん真１１の大径部１１ａに固定された環状の固定リング１７に対して環状の回転リング３６を相対的に回転可能に外装させ、第２アーム部３１の基端側がこの回転リング３６に対して一体的に連結されている。これにより、一対の第２アーム部３１は、同期して回転することが可能とされている。
【００５３】
なお、回転リング３６と固定リング１７との間には一定の回転抵抗力が確保されている。従って、てん真１１に対して第２アーム部３１を回転させた後、不意に第２アーム部３１が回転してしまうことが規制されている。
また、この場合の調整ねじ３３の貫通孔２２ｃ、２３ｃは、第１リム部２２及び第２リム部２３の周方向に沿って延在した長穴状（スリット状）とされている。
【００５４】
このように構成した場合には、第２アーム部３１を回転させることができるので、固定端２２ａ、２３ａと自由端２２ｂ、２３ｂとの間の任意の位置に調整ねじ３３を位置させ、該位置で第１リム部２２及び第２リム部２３を押圧できる。従って、調整ねじ３３による押圧力が同一であっても、固定端２２ａ、２３ａ側寄りであれば両リム部２２、２３を根元側から曲げるので大きく弾性変形させ、自由端２２ｂ、２３ｂ側寄りであれば両リム部２２、２３を小さく弾性変形させることができる。よって、第２アーム部３１の回転と、調整ねじ３３による押圧力の大きさと、の組み合わせによって、自由端２２ｂ、２３ｂの位置をより微細に径方向に変化させることができ、慣性モーメントの調整をより高精度に行える。
【００５５】
しかも、一対の第２アーム部３１は同期して回転するので、調整ねじ３３による押圧ポイントが第１リム部２２と第２リム部２３とでばらつくことがない。従って、てんぷ１０全体の重心位置が変化してしまうことを防止し易い。
【００５６】
＜第２実施形態＞
次に、本発明に係る第２実施形態について図面を参照して説明する。なお、この第２実施形態においては、第１実施形態における構成要素と同一の部分については、同一の符号を付しその説明を省略する。
【００５７】
第１実施形態では、調整ねじ３３を利用して第１リム部２２及び第２リム部２３を径方向に弾性変形させたが、第２実施形態では、第２アーム部の回転操作だけで第１リム部２２及び第２リム部２３を径方向に弾性変形させることが可能とされている。
【００５８】
（てんぷの構成）
図１１に示すように、本実施形態のてんぷ４０は、一対の第２アーム部（回転支持アーム）４２と、これら第２アーム部４２の先端側にそれぞれ設けられ、第１リム部２２及び第２リム部２３に接する接触ピン（接触体）４３と、を有する位置調整機構４１を具備している。
【００５９】
なお、本実施形態の第２アーム部４２は、第１実施形態において回転可能とされた第２アーム部３１と同様の構成とされているため、詳細な説明は省略する。但し、第２アーム部４２の先端部は、第１リム部２２及び第２リム部２３よりも径方向の外側に延びている。また、本実施形態の第１リム部２２及び第２リム部２３は、予め自由端２２ｂ、２３ｂ側が径方向の外側に移動（点線で図示）するように癖付けされている。
【００６０】
上記接触ピン４３は、第２アーム部４２の先端部に立設された円柱状のピンであり、第１リム部２２及び第２リム部２３の径方向の外側にオフセット配置され、両リム部２２、２３の外周面に接している。そして、この接触ピン４３は、第２アーム部４２の回転に伴って上記癖付けされた第１リム部２２及び第２リム部２３の曲率半径よりも小さい半径で回転可能とされている。
従って、接触ピン４３は、第２アーム部４２の回転に伴って第１リム部２２及び第２リム部２３を径方向の内側に押圧して、弾性変形させることが可能とされている。この際、接触ピン４３が固定端２２ａ、２３ａ側に接近するほど両リム部２２、２３を根元側から曲げるので大きく弾性変形させ、自由端２２ｂ、２３ｂに接近するほど両リム部２２、２３を小さく弾性変形させることができる。
【００６１】
（慣性モーメントの調整方法）
このように構成された本実施形態のてんぷ４０によれば、第２アーム部４２をてん真１１に対して回転させることで、該第２アーム部４２と共に接触ピン４３を回転移動させることができる。これにより、接触ピン４３を利用して第１リム部２２及び第２リム部２３を径方向の内側に押圧でき、該方向に弾性変形させることができる。しかも、接触ピン４３を自由端２２ｂ、２３ｂ側又は固定端２２ａ、２３ａ側に接近させることで弾性変形量を変化させることができるので、第２アーム部４２の回転具合で自由端２２ｂ、２３ｂの位置を微細に変化させることができる。
【００６２】
従って、リム部２０全体の平均径を縮径させて、狙い通りの径に容易且つ正確に調整し易く、結果的に慣性モーメントの調整を高精度に行える。特に、調整ねじ３３を用いる場合に比べて、第２アーム部４２を回転動作させるだけで第１リム部２２及び第２リム部２３を両方同時に弾性変形させることができるので、より容易にバランスよく慣性モーメントを調整して、歩度を進み方向に調整することが可能となる。
【００６３】
なお、上記実施形態では、第１リム部２２及び第２リム部２３を径方向の内側に向けて押圧して弾性変形させたが、径方向の外側に押圧して弾性変形させても構わない。
この場合には、例えば図１２に示すように、第１リム部２２及び第２リム部２３を、予め自由端２２ｂ、２３ｂ側が径方向の内側に移動（点線で図示）するように癖付けさせる。そして、接触ピン４３を第１リム部２２及び第２リム部２３の内周面に接触させ、第２アーム部４２の回転に伴って上記癖付けされた第１リム部２２及び第２リム部２３の曲率半径よりも大きい半径で回転可能とさせれば良い。
このようにすることで、第１リム部２２及び第２リム部２３を径方向の外側に押圧して弾性変形させることができ、リム部２０全体の平均径を拡径させて慣性モーメントを大きくすることができる。従って、歩度を遅れ方向に調整することが可能である。
【００６４】
なお、図１３に示すように、接触ピン４３を２つ設け、第１リム部２２及び第２リム部２３の外周面及び内周面の両方に接触させて、第１リム部２２及び第２リム部２３を径方向から挟み込むように構成しても構わない。
この場合には、２つの接触ピン４３のうちの一方が第１リム部２２及び第２リム部２３を径方向に押圧して弾性変形させるピンとして機能し、他方が弾性変形された第１リム部２２及び第２リム部２３を抑えるピンとして機能する。従って、第１リム部２２及び第２リム部２３の姿勢を安定させることができ、より安定しててんぷ４０を振動させることができる。
なお、図示の例では、第１リム部２２及び第２リム部２３を径方向の内側に向けて弾性変形させる場合を例にしている。
【００６５】
また、図１４に示すように、接触ピン４３を第２アーム部４２に回転可能に支持された偏心ピンとしても構わない。こうすることで、さらに偏心ピンとされた接触ピン４３を回転させることで、例えば第２リム部２３を径方向の内側に弾性変形させることができるので、弾性変形量を微調整することができる。従って、慣性モーメントの調整がさらに容易となる。
加えて、偏心ピンとされた接触ピン４３を利用する場合、第１リム部２２又は第２リム部２３のいずれか一方の弾性変形量を調整することで、てんぷ４０全体の重心位置の微調整を行うことも可能である。
【００６６】
なお、接触ピン４３を偏心ピンとする場合、必ずしも２つである必要はなく、両リム部２２、２３の外周面又は内周面のどちらかに接するように接触ピン４２を１つだけ設けた場合にも適用可能である。また、２つの接触ピン４３を偏心ピンとする場合には、例えばベルトの巻回や歯車を利用した連結等の既知の技術を用いて同期して回転するように構成することが好ましい。
【００６７】
なお、本発明の技術範囲は上記実施の形態に限定されるものではなく、本発明の趣旨を逸脱しない範囲において種々の変更を加えることが可能である。
【００６８】
例えば、上記各実施形態では、リム部２０を周方向に２つに分断し、第１リム部２２及び第２リム部２３という２つの分割リム部で構成したが、３つ以上に分断し、３つの以上の分割リム部で構成しても構わない。この場合であっても、各分割リム部を周方向に均等配置させれば良く、同様の作用効果を奏効することができる。
また、上記各実施形態では、第１リム部２２及び第２リム部２３の自由端２２ｂ、２３ｂに錘部２４を設けたが、この錘部２４は必須ではなく具備しなくても構わない。但し、慣性モーメントを効果的に調整できるので、具備することが好ましい。
【符号の説明】
【００６９】
Ｔ…機械式時計
Ｏ…回転軸
１０、４０…てんぷ
１１…てん真
１２…てん輪
２０…リム部
２１…第１アーム部（連結アーム）
２２…第１リム部（分割リム部）
２３…第２リム部（分割リム部）
２４…錘部
３０、４１…位置調整機構
３１…第２アーム部（支持アーム）
３２…押圧部
４２…第２アーム部（回転支持アーム）
４３…接触ピン（接触体）
【図１】
0005831982.tif 000003
【図２】
0005831982.tif 000004
【図３】
0005831982.tif 000005
【図４】
0005831982.tif 000006
【図５】
0005831982.tif 000007
【図６】
0005831982.tif 000008
【図７】
0005831982.tif 000009
【図８】
0005831982.tif 000010
【図９】
0005831982.tif 000011
【図１０】
0005831982.tif 000012
【図１１】
0005831982.tif 000013
【図１２】
0005831982.tif 000014
【図１３】
0005831982.tif 000015
【図１４】
0005831982.tif 000016
【図１５】
0005831982.tif 000017
【図１６】
0005831982.tif 000018